(57)【要約】【課題】人間工学的にも優れ、統一された外寸による高い空間効率、配送効率と、梱包箱内の空間を無駄なく使用することによる高い空間効率、配送効率とを両立した、配送用梱包箱を提供する。【解決手段】外箱と、該外箱の内部に配置された複数の内箱とを有する配送用梱包箱であって、該外箱の縦内寸Ａ、横内寸Ｂ、及び高さ内寸Ｃが、それぞれ所定範囲内の大きさであり、  前記内箱が、縦方向にｎ個、横方向にｍ個、高さ方向にｌ個配され（但し、ｎ、ｍ、及びｌは、いずれも独立に１から３０の整数であるが、ｎ、ｍ、及びｌが同時に１とはならない。）、各内箱の縦外寸ａ１、ａ２、．．．ａｎの総和がＡ±２０（ｍｍ）であり、各内箱の横外寸ｂ１、ｂ２、．．．ｂｍの総和がＢ±２０（ｍｍ）であり、各内箱の高さ外寸ｃ１、ｃ２、．．．ｃｌの総和がＣ±２０（ｍｍ）であり、かつ各内箱の縦外寸ａ１〜ａｎ、横外寸ｂ１〜ｂｍ、及び高さ外寸ｃ１〜ｃｌが、いずれも２０（ｍｍ）以上である、上記配送用梱包箱。【選択図】  図１
2019104496.tif 000002
【特許請求の範囲】
【請求項１】
外箱と、該外箱の内部に配置された複数の内箱とを有する配送用梱包箱であって、該外箱の縦内寸Ａが、１６０±８（ｍｍ）、２４５±１３（ｍｍ）、２８０±１４（ｍｍ）、３１５±１６（ｍｍ）、３４５±１８（ｍｍ）、３７０±１９（ｍｍ）、４００±２０（ｍｍ）、４２０±２１（ｍｍ）、４６０±２３（ｍｍ）、３１５±１６（ｍｍ）、又は４９０±２５（ｍｍ）であり、横内寸Ｂが、２３０±１２（ｍｍ）、３２０±１６（ｍｍ）、３６０±１８（ｍｍ）、４００±２０（ｍｍ）、４２０±２１（ｍｍ）、４４０±２２（ｍｍ）、４６０±２３（ｍｍ）、４７０±２４（ｍｍ）、５００±２５（ｍｍ）、５５０±２８（ｍｍ）、６００±３０（ｍｍ）、６２０±３１（ｍｍ）又は、７５０±３８（ｍｍ）であり、高さ内寸Ｃが、３０±１．５（ｍｍ）、５５±３（ｍｍ）、６０±３（ｍｍ）、６５±４（ｍｍ）、７０±４（ｍｍ）、７５±４（ｍｍ）、８５±５（ｍｍ）、９５±５（ｍｍ）、１００±５（ｍｍ）、１１０±６（ｍｍ）、１２０±６（ｍｍ）、１２５±７（ｍｍ）、１６０±８（ｍｍ）、１７０±９（ｍｍ）、１８０±９（ｍｍ）、２１５±１１（ｍｍ）、２３５±１２（ｍｍ）、２４０±１２（ｍｍ）、２５０±１３（ｍｍ）、２６０±１３（ｍｍ）、２７０±１４（ｍｍ）、２８５±１５（ｍｍ）、３１０±１６（ｍｍ）、３６５±１９（ｍｍ）、３９０±２０（ｍｍ）、又は、４００±２０（ｍｍ）であり、
前記内箱が、縦方向にｎ個、横方向にｍ個、高さ方向にｌ個配され（但し、ｎ、ｍ、及びｌは、いずれも独立に１から３０の整数であるが、ｎ、ｍ、及びｌが同時に１とはならない。）、各内箱の縦外寸ａ１、ａ２、．．．ａｎの総和がＡ±２０（ｍｍ）であり、各内箱の横外寸ｂ１、ｂ２、．．．ｂｍの総和がＢ±２０（ｍｍ）であり、各内箱の高さ外寸ｃ１、ｃ２、．．．ｃｌの総和がＣ±２０（ｍｍ）であり、かつ各内箱の縦外寸ａ１〜ａｎ、横外寸ｂ１〜ｂｍ、及び高さ外寸ｃ１〜ｃｌが、いずれも２０（ｍｍ）以上である、上記配送用梱包箱。
【請求項２】
前記内箱のいずれもが、略同一の縦外寸ａ、横外寸ｂ、及び高さ外寸ｃを有し、それぞれａ＝Ａ／ｎ±５（ｍｍ）、ｂ＝Ｂ／ｍ±５（ｍｍ）、及びｃ＝Ｃ／ｌ±５（ｍｍ）の条件を満たす、請求項１に記載の配送用梱包箱。
【請求項３】
前記内箱の少なくとも１つがガスバリア性を有する、請求項１又は２に記載の配送用梱包箱。
【請求項４】
該内箱の少なくとも１つの酸素透過度が、２０℃、９０％ＲＨにおいて、１５０ｍｌ／ｍ２・ｄａｙ・ＭＰａ以下である、請求項１から３のいずれか一項に記載の配送用梱包箱。
【請求項５】
前記内箱の少なくとも１つが耐屈曲性を有する、請求項１から４のいずれか一項に記載の配送用梱包箱。
【請求項６】
前記内箱の少なくとも１つの、内部側の表面の少なくとも一部にパルミチルジエタノールアミン、ステアリルジエタノールアミン、グリセリンモノラウレートおよびジグリセリンモノラウレートからなる群から選択される少なくとも一種の化合物が０．００２〜０．５ｇ／ｍ２存在する、請求項１から５のいずれか一項に記載の配送用梱包箱。
【請求項７】
レトルト食品、青果物、液体商品、衣料、又は書籍の配送に用いられる、請求項１から６のいずれか一項に記載の配送用梱包箱。
【発明の詳細な説明】
【技術分野】
【０００１】
本発明は、ネット通販販売等において、商品を需要者まで配送するのに適した配送用梱包箱に関し、より具体的には、人間工学的にも優れ、かつ、配送効率にも優れた、配送用梱包箱に関する。
【背景技術】
【０００２】
レトルト食品等の長期保管食品、青果物等の短賞味期間食品、飲料、サラダ油、洗剤等の液体商品、衣料、書籍等の各種商品の販売には、最近ではいわゆるネット販売が盛んに利用されるようになってきている。ネット販売における商品の配送は宅配が主流であり、宅配にはいわゆる段ボール箱をはじめとする各種配送用梱包箱が主に用いられてきた。
配送効率の観点からは、配送用梱包箱の寸法を統一することが好ましく、例えば約３７０ｍｍ×約４７０ｍｍ×約２７０ｍｍ等の外寸でほぼ統一された、ほぼ同一の大きさの梱包箱が使われることが多くなってきている。この約３７０ｍｍ×約４７０ｍｍ×約２７０ｍｍ等の外寸の梱包箱は、人間が持ちやすく、人間工学的にも優れたものである。
なお、上記約３７０ｍｍ×約４７０ｍｍ×約２７０ｍｍの外寸の梱包箱以外に、人間工学的に優れた梱包箱として、縦内寸Ａが、１６０±８（ｍｍ）、２４５±１３（ｍｍ）、２８０±１４（ｍｍ）、３１５±１６（ｍｍ）、３４５±１８（ｍｍ）、３７０±１９（ｍｍ）、４００±２０（ｍｍ）、４２０±２１（ｍｍ）、４６０±２３（ｍｍ）、３１５±１６（ｍｍ）、又は４９０±２５（ｍｍ）であり、横内寸Ｂが、２３０±１２（ｍｍ）、３２０±１６（ｍｍ）、３６０±１８（ｍｍ）、４００±２０（ｍｍ）、４２０±２１（ｍｍ）、４４０±２２（ｍｍ）、４６０±２３（ｍｍ）、４７０±２４（ｍｍ）、５００±２５（ｍｍ）、５５０±２８（ｍｍ）、６００±３０（ｍｍ）、６２０±３１（ｍｍ）又は、７５０±３８（ｍｍ）であり、高さ内寸Ｃが、３０±１．５（ｍｍ）、５５±３（ｍｍ）、６０±３（ｍｍ）、６５±４（ｍｍ）、７０±４（ｍｍ）、７５±４（ｍｍ）、８５±５（ｍｍ）、９５±５（ｍｍ）、１００±５（ｍｍ）、１１０±６（ｍｍ）、１２０±６（ｍｍ）、１２５±７（ｍｍ）、１６０±８（ｍｍ）、１７０±９（ｍｍ）、１８０±９（ｍｍ）、２１５±１１（ｍｍ）、２３５±１２（ｍｍ）、２４０±１２（ｍｍ）、２５０±１３（ｍｍ）、２６０±１３（ｍｍ）、２７０±１４（ｍｍ）、２８５±１５（ｍｍ）、３１０±１６（ｍｍ）、３６５±１９（ｍｍ）、３９０±２０（ｍｍ）、又は、４００±２０（ｍｍ）である梱包箱を挙げることができる。
一方、上述の各種商品は、その大きさ、形状、保管に適した形態等が多岐にわたり、例えば約３７０ｍｍ×約４７０ｍｍ×約２７０ｍｍ等のほぼ統一された外寸に対応する内寸の梱包箱に収納する際に、過剰な隙間が生ずる場合があり、空間効率、配送効率が必ずしも十分でなく、また配送時の安定性が不十分であることによる破損の懸念や、大  量の梱包材を要する等の問題もあり、その解決が望まれていた。
【先行技術文献】
【特許文献】
【０００３】
【特許文献１】特開２０１３−１８４７２０号公報
【発明の概要】
【発明が解決しようとする課題】
【０００４】
本発明は、上記の背景技術の限界に鑑み、人間工学的にも優れ、統一された外寸による高い空間効率、配送効率と、梱包箱内の空間を無駄なく使用することによる高い空間効率、配送効率とを両立した、配送用梱包箱を提供することを課題とする。
【課題を解決するための手段】
【０００５】
本発明者らは、鋭意検討の結果、外箱と、該外箱の内部に配置された複数の内箱とを有する配送用梱包箱であって、該外箱の縦寸法、横寸法、及び高さと、該内箱の縦寸法、横寸法、及び高さとが、所定の関係にある配送用梱包箱を用いることで上記課題が解決されることを見出し、本発明を完成するに至った。
すなわち本発明は、
［１］
外箱と、該外箱の内部に配置された複数の内箱とを有する配送用梱包箱であって、該外箱の縦内寸Ａが、１６０±８（ｍｍ）、２４５±１３（ｍｍ）、２８０±１４（ｍｍ）、３１５±１６（ｍｍ）、３４５±１８（ｍｍ）、３７０±１９（ｍｍ）、４００±２０（ｍｍ）、４２０±２１（ｍｍ）、４６０±２３（ｍｍ）、３１５±１６（ｍｍ）、又は４９０±２５（ｍｍ）であり、横内寸Ｂが、２３０±１２（ｍｍ）、３２０±１６（ｍｍ）、３６０±１８（ｍｍ）、４００±２０（ｍｍ）、４２０±２１（ｍｍ）、４４０±２２（ｍｍ）、４６０±２３（ｍｍ）、４７０±２４（ｍｍ）、５００±２５（ｍｍ）、５５０±２８（ｍｍ）、６００±３０（ｍｍ）、６２０±３１（ｍｍ）又は、７５０±３８（ｍｍ）であり、高さ内寸Ｃが、３０±１．５（ｍｍ）、５５±３（ｍｍ）、６０±３（ｍｍ）、６５±４（ｍｍ）、７０±４（ｍｍ）、７５±４（ｍｍ）、８５±５（ｍｍ）、９５±５（ｍｍ）、１００±５（ｍｍ）、１１０±６（ｍｍ）、１２０±６（ｍｍ）、１２５±７（ｍｍ）、１６０±８（ｍｍ）、１７０±９（ｍｍ）、１８０±９（ｍｍ）、２１５±１１（ｍｍ）、２３５±１２（ｍｍ）、２４０±１２（ｍｍ）、２５０±１３（ｍｍ）、２６０±１３（ｍｍ）、２７０±１４（ｍｍ）、２８５±１５（ｍｍ）、３１０±１６（ｍｍ）、３６５±１９（ｍｍ）、３９０±２０（ｍｍ）、又は、４００±２０（ｍｍ）であり、
前記内箱が、縦方向にｎ個、横方向にｍ個、高さ方向にｌ個配され（但し、ｎ、ｍ、及びｌは、いずれも独立に１から３０の整数であるが、ｎ、ｍ、及びｌが同時に１とはならない。）、各内箱の縦外寸ａ１、ａ２、．．．ａｎの総和がＡ±２０（ｍｍ）であり、各内箱の横外寸ｂ１、ｂ２、．．．ｂｍの総和がＢ±２０（ｍｍ）であり、各内箱の高さ外寸ｃ１、ｃ２、．．．ｃｌの総和がＣ±２０（ｍｍ）であり、かつ各内箱の縦外寸ａ１〜ａｎ、横外寸ｂ１〜ｂｍ、及び高さ外寸ｃ１〜ｃｌが、いずれも２０（ｍｍ）以上である、上記配送用梱包箱、である。
【０００６】
以下、［２］から［７］は、それぞれ本発明の一態様又は好ましい実施形態の一つである。
［２］
前記内箱のいずれもが、略同一の縦外寸ａ、横外寸ｂ、及び高さ外寸ｃを有し、それぞれａ＝Ａ／ｎ±５（ｍｍ）、ｂ＝Ｂ／ｍ±５（ｍｍ）、及びｃ＝Ｃ／ｌ±５（ｍｍ）の条件を満たす、［１］に記載の配送用梱包箱。
［３］
前記内箱の少なくとも１つがガスバリア性を有する、［１］又は［２］に記載の配送用梱包箱。
［４］
該内箱の少なくとも１つの酸素透過度が、２０℃、９０％ＲＨにおいて、１５０ｍｌ／ｍ２・ｄａｙ・ＭＰａ以下である、［１］から［３］のいずれか一項に記載の配送用梱包箱。
［５］
前記内箱の少なくとも１つが耐屈曲性を有する、［１］から［４］のいずれか一項に記載の配送用梱包箱。
［６］
前記内箱の少なくとも１つの、内部側の表面の少なくとも一部にパルミチルジエタノールアミン、ステアリルジエタノールアミン、グリセリンモノラウレートおよびジグリセリンモノラウレートからなる群から選択される少なくとも一種の化合物が０．００２〜０．５ｇ／ｍ２存在する、［１］から［５］のいずれか一項に記載の配送用梱包箱。
［７］
レトルト食品、青果物、液体商品、衣料、又は書籍の配送に用いられる、［１］から［６］のいずれか一項に記載の配送用梱包箱。
【発明の効果】
【０００７】
本発明によれば、人間工学的にも優れ、統一された寸法による高い空間効率、配送効率と、梱包箱内の空間を無駄なく使用することによる高い空間効率、配送効率とを両立することができるという、実用上高い価値を有する配送用梱包箱が提供される。
【図面の簡単な説明】
【０００８】
【図１】本発明の一実形態である配送用梱包箱の概略構造を示す模式図であり、（ａ）は該配送用梱包箱の上面からの模式図、（ｂ）は該配送用梱包箱の側面からの模式図である。
【図２】本発明の他の実施形態である配送用梱包箱の概略構造を示す模式図であり、（ａ）は該配送用梱包箱の上面からの模式図、（ｂ）は該配送用梱包箱の側面からの模式図である。
【図３】本発明の他の実施形態である配送用梱包箱の概略構造を示す模式図であり、（ａ）は該配送用梱包箱の上面からの模式図、（ｂ）は該配送用梱包箱の側面からの模式図である。
【図４】本発明の一実形態である配送用梱包箱の概略構造を示す模式図であり、（ａ）は該配送用梱包箱の上面からの模式図、（ｂ）は該配送用梱包箱の側面からの模式図である。
【図５】本発明の一実形態である配送用梱包箱の概略構造を示す模式図であり、（ａ）は該配送用梱包箱の上面からの模式図、（ｂ）及び（ｃ）は該配送用梱包箱の側面からの模式図である。
【図６】本発明の一実形態である配送用梱包箱の概略構造を示す模式図であり、（ａ）は該配送用梱包箱の上面からの模式図、（ｂ）及び（ｃ）は該配送用梱包箱の側面からの模式図である。
【図７】本発明の一実形態である配送用梱包箱の概略構造を示す模式図であり、（ａ）は該配送用梱包箱の上面からの模式図、（ｂ）は該配送用梱包箱の側面からの模式図である。
【発明を実施するための形態】
【０００９】
以下、本発明を実施するための形態を説明する。
本発明は、外箱と、該外箱の内部に配置された複数の内箱とを有する配送用梱包箱であって、該外箱の縦内寸Ａが、１６０±８（ｍｍ）、２４５±１３（ｍｍ）、２８０±１４（ｍｍ）、３１５±１６（ｍｍ）、３４５±１８（ｍｍ）、３７０±１９（ｍｍ）、４００±２０（ｍｍ）、４２０±２１（ｍｍ）、４６０±２３（ｍｍ）、３１５±１６（ｍｍ）、又は４９０±２５（ｍｍ）であり、横内寸Ｂが、２３０±１２（ｍｍ）、３２０±１６（ｍｍ）、３６０±１８（ｍｍ）、４００±２０（ｍｍ）、４２０±２１（ｍｍ）、４４０±２２（ｍｍ）、４６０±２３（ｍｍ）、、４７０±２４（ｍｍ）５００±２５（ｍｍ）、５５０±２８（ｍｍ）、６００±３０（ｍｍ）、６２０±３１（ｍｍ）又は、７５０±３８（ｍｍ）であり、高さ内寸Ｃが、３０±１．５（ｍｍ）、５５±３（ｍｍ）、６０±３（ｍｍ）、６５±４（ｍｍ）、７０±４（ｍｍ）、７５±４（ｍｍ）、８５±５（ｍｍ）、９５±５（ｍｍ）、１００±５（ｍｍ）、１１０±６（ｍｍ）、１２０±６（ｍｍ）、１２５±７（ｍｍ）、１６０±８（ｍｍ）、１７０±９（ｍｍ）、１８０±９（ｍｍ）、２１５±１１（ｍｍ）、２３５±１２（ｍｍ）、２４０±１２（ｍｍ）、２５０±１３（ｍｍ）、２６０±１３（ｍｍ）、２７０±１４（ｍｍ）、２８５±１５（ｍｍ）、３１０±１６（ｍｍ）、３６５±１９（ｍｍ）、３９０±２０（ｍｍ）、又は、４００±２０（ｍｍ）であり、
前記内箱が、縦方向にｎ個、横方向にｍ個、高さ方向にｌ個配され（但し、ｎ、ｍ、及びｌは、いずれも独立に１から３０の整数であるが、ｎ、ｍ、及びｌが同時に１とはならない。）、各内箱の縦外寸ａ１、ａ２、．．．ａｎの総和がＡ±２０（ｍｍ）であり、各内箱の横外寸ｂ１、ｂ２、．．．ｂｍの総和がＢ±２０（ｍｍ）であり、各内箱の高さ外寸ｃ１、ｃ２、．．．ｃｌの総和がＣ±２０（ｍｍ）であり、かつ各内箱の縦外寸ａ、横外寸ｂ、及び高さ外寸ｃが、いずれも２０（ｍｍ）以上である、上記配送用梱包箱、である。
すなわち、本発明の配送用梱包箱は、少なくとも、外箱と、外箱の内部に配置された複数の内箱とを有する。
【００１０】
外箱
本発明の配送用梱包箱を構成する外箱は、その縦内寸Ａが、１６０±８（ｍｍ）、２４５±１３（ｍｍ）、２８０±１４（ｍｍ）、３１５±１６（ｍｍ）、３４５±１８（ｍｍ）、３７０±１９（ｍｍ）、４００±２０（ｍｍ）、４２０±２１（ｍｍ）、４６０±２３（ｍｍ）、３１５±１６（ｍｍ）、又は４９０±２５（ｍｍ）であり、横内寸Ｂが、２３０±１２（ｍｍ）、３２０±１６（ｍｍ）、３６０±１８（ｍｍ）、４００±２０（ｍｍ）、４２０±２１（ｍｍ）、４４０±２２（ｍｍ）、４６０±２３（ｍｍ）、４７０±２４（ｍｍ）、５００±２５（ｍｍ）、５５０±２８（ｍｍ）、６００±３０（ｍｍ）、６２０±３１（ｍｍ）又は、７５０±３８（ｍｍ）であり、高さ内寸Ｃが、３０±１．５（ｍｍ）、５５±３（ｍｍ）、６０±３（ｍｍ）、６５±４（ｍｍ）、７０±４（ｍｍ）、７５±４（ｍｍ）、８５±５（ｍｍ）、９５±５（ｍｍ）、１００±５（ｍｍ）、１１０±６（ｍｍ）、１２０±６（ｍｍ）、１２５±７（ｍｍ）、１６０±８（ｍｍ）、１７０±９（ｍｍ）、１８０±９（ｍｍ）、２１５±１１（ｍｍ）、２３５±１２（ｍｍ）、２４０±１２（ｍｍ）、２５０±１３（ｍｍ）、２６０±１３（ｍｍ）、２７０±１４（ｍｍ）、２８５±１５（ｍｍ）、３１０±１６（ｍｍ）、３６５±１９（ｍｍ）、３９０±２０（ｍｍ）、又は、４００±２０（ｍｍ）である。
外箱の縦内寸Ａ、横内寸Ｂ、及び高さ内寸Ｃが、上記所定範囲内にあることで、本発明の配送用梱包箱の大きさがほぼ統一され、保管時、配送時の収納効率が向上する。また、配送用梱包箱の大きさがほぼ統一されることで、その取り扱いや輸送に用いる装置も、統一された大きさに対応すれば十分なので、構造が単純で低コスト、かつ高効率なものとなる。
更に、統一された大きさの外箱を製造すればよいので、生産性も向上し、より低いコスト及びより短時間で、より多くの外箱を製造することができる。
特に、約３７０ｍｍ×約４７０ｍｍ×約２７０ｍｍという寸法は、荷物として人間工学的にも持ち易く運び易いものであり、この点においても高い配送効率をもたらすものであるので好ましい。
外箱が実質的に直方体の形状を有するものも、本発明の好ましい実施形態の一つである。これにより、本発明の配送用梱包箱の保管時、配送時の収納効率は、一層高いものとなる。
【００１１】
本発明の配送用梱包箱を構成する外箱の縦内寸Ａは、１６０±４（ｍｍ）、２４５±７（ｍｍ）、２８０±７（ｍｍ）、３１５±８（ｍｍ）、３４５±９（ｍｍ）、３７０±１０（ｍｍ）、４００±１０（ｍｍ）、４２０±１１（ｍｍ）、４６０±１２（ｍｍ）、３１５±８（ｍｍ）、又は４９０±１３（ｍｍ）であることが好ましく、その中でも人間が運搬しやすい外寸に対応するという観点から３７０±１０（ｍｍ）であることがさらに好ましい。外箱の縦内寸Ａが上記範囲にあることは、外箱の縦外寸Ａ’の変動幅がより小さいことを意味し、本発明の配送用梱包箱の大きさを統一し、収納効率、輸送効率等を一層向上することができるので好ましい。
本発明の配送用梱包箱を構成する外箱の横内寸Ｂは、２３０±６（ｍｍ）、３２０±８（ｍｍ）、３６０±９（ｍｍ）、４００±１０（ｍｍ）、４２０±１１（ｍｍ）、４４０±１１（ｍｍ）、４６０±１２（ｍｍ）、４７０±１２（ｍｍ）、５００±１３（ｍｍ）、５５０±１４（ｍｍ）、６００±１５（ｍｍ）、６２０±１６（ｍｍ）又は、７５０±１９（ｍｍ）であることが好ましく、その中でも人間が運搬しやすい外寸に対応するという観点から４７０±１２（ｍｍ）であることがさらに好ましい。外箱の横内寸Ｂが上記範囲にあることは、外箱の横外寸Ｂ’の変動幅がより小さいことを意味し、本発明の配送用梱包箱の大きさを統一し、収納効率、輸送効率等を一層向上することができるので好ましい。
本発明の配送用梱包箱を構成する外箱の高さ内寸Ｃは、３０±１（ｍｍ）、５５±２（ｍｍ）、６０±２（ｍｍ）、６５±２（ｍｍ）、７０±２（ｍｍ）、７５±３（ｍｍ）、８５±３（ｍｍ）、９５±３（ｍｍ）、１００±３（ｍｍ）、１１０±３（ｍｍ）、１２０±３（ｍｍ）、１２５±４（ｍｍ）、１６０±４（ｍｍ）、１７０±５（ｍｍ）、１８０±５（ｍｍ）、２１５±６（ｍｍ）、２３５±６（ｍｍ）、２４０±６（ｍｍ）、２５０±７（ｍｍ）、２６０±７（ｍｍ）、２７０±７（ｍｍ）、２８５±８（ｍｍ）、３１０±８（ｍｍ）、３６５±１０（ｍｍ）、３９０±１０（ｍｍ）、又は、４００±１０（ｍｍ）であることが好ましく、その中でも、外寸は内寸より３ｍｍ〜１０ｍｍ大きめであると考えられるので人間が運搬しやすいという観点から２７０±７（ｍｍ）であることがさらに好ましい。外箱の高さ内寸Ｃが上記範囲にあることは、外箱の高さ外寸Ｃ’の変動幅がより小さいことを意味し、本発明の配送用梱包箱の大きさを統一し、収納効率、輸送効率等を一層向上することができるので好ましい。
本発明の配送用梱包箱を構成する外箱においては、縦内寸Ａ、横内寸Ｂ、及び高さ内寸Ｃが、同時に上記の好ましい範囲内にあることが一層好ましい。
【００１２】
なお、外寸として好ましいサイズは以下のとおり挙げることができる。
２５０（ｍｍ）×３３０（ｍｍ）×５５（ｍｍ）、２５０（ｍｍ）×３３０（ｍｍ）×７０（ｍｍ）、２５０（ｍｍ）×３３０（ｍｍ）×１２０（ｍｍ）、２５０（ｍｍ）×３３０（ｍｍ）×１１５（ｍｍ）、２４５（ｍｍ）×３２０（ｍｍ）×１１５（ｍｍ）、２５０（ｍｍ）×３３０（ｍｍ）×１７０（ｍｍ）、２５０（ｍｍ）×３３０（ｍｍ）×１７０（ｍｍ）、２５０（ｍｍ）×３３０（ｍｍ）×７０（ｍｍ）、２５０（ｍｍ）×３３０（ｍｍ）×１１５（ｍｍ）、２５０（ｍｍ）×３２５（ｍｍ）×１７０（ｍｍ）、２５０（ｍｍ）×３２５（ｍｍ）×１７０（ｍｍ）、２５０（ｍｍ）×３２５（ｍｍ）×３０（ｍｍ）、２５０（ｍｍ）×３２５（ｍｍ）×３０（ｍｍ）、２４０（ｍｍ）×３１０（ｍｍ）×６０（ｍｍ）、２４５（ｍｍ）×３２０（ｍｍ）×３０（ｍｍ）、２５０（ｍｍ）×３２０（ｍｍ）×６５（ｍｍ）、２４５（ｍｍ）×３２０（ｍｍ）×８５（ｍｍ）、２４５（ｍｍ）×３２０（ｍｍ）×１１０（ｍｍ）、２４５（ｍｍ）×３２０（ｍｍ）×７０（ｍｍ）、２５０（ｍｍ）×３３０（ｍｍ）×１７０（ｍｍ）、３１０（ｍｍ）×４００（ｍｍ）×１１０（ｍｍ）、３１０（ｍｍ）×４００（ｍｍ）×２１０（ｍｍ）、３４８（ｍｍ）×４４５（ｍｍ）×１１０（ｍｍ）、３４５（ｍｍ）×４４８（ｍｍ）×２１５（ｍｍ）、３１５（ｍｍ）×４０５（ｍｍ）×２１５（ｍｍ）、３１５（ｍｍ）×４００（ｍｍ）×１１０（ｍｍ）、３１５（ｍｍ）×４００（ｍｍ）×２１５（ｍｍ）、３１５（ｍｍ）×４００（ｍｍ）×５５（ｍｍ）、３１５（ｍｍ）×４００（ｍｍ）×１８０（ｍｍ）、３１５（ｍｍ）×４００（ｍｍ）×１１０（ｍｍ）、３５０（ｍｍ）×４２５（ｍｍ）×２１５（ｍｍ）、２７５（ｍｍ）×２３０（ｍｍ）×９５（ｍｍ）、３７０（ｍｍ）×４６０（ｍｍ）×１２５（ｍｍ）、３７０（ｍｍ）×４６０（ｍｍ）×２７０（ｍｍ）、４６０（ｍｍ）×３６０（ｍｍ）×２５５（ｍｍ）、３７０（ｍｍ）×４７０（ｍｍ）×２７０（ｍｍ）、３９５（ｍｍ）×３９５（ｍｍ）×３６５（ｍｍ）、４１５（ｍｍ）×５００（ｍｍ）×２３５（ｍｍ）、３７０（ｍｍ）×５５０（ｍｍ）×３１０（ｍｍ）、４９０（ｍｍ）×６０３（ｍｍ）×１６０（ｍｍ）、３３０（ｍｍ）×７５０（ｍｍ）×７５（ｍｍ）、４８０（ｍｍ）×６５０（ｍｍ）×３９０（ｍｍ）、４００（ｍｍ）×７５０（ｍｍ）×２４０（ｍｍ）、２８５（ｍｍ）×４１０（ｍｍ）×２６０（ｍｍ）、３３５（ｍｍ）×４４５（ｍｍ）×２８５（ｍｍ）、２３５（ｍｍ）×３０５（ｍｍ）×１６５（ｍｍ）、４００（ｍｍ）×５９５（ｍｍ）×１６０（ｍｍ）、１６０（ｍｍ）×２３５（ｍｍ）×６５（ｍｍ）、１６０（ｍｍ）×２３５（ｍｍ）×９５（ｍｍ）、４２０（ｍｍ）×４１０（ｍｍ）×７５（ｍｍ）、及び１６０（ｍｍ）×２３０（ｍｍ）×１００（ｍｍ）。
【００１３】
本発明の配送用梱包箱を構成する外箱の縦外寸Ａ、横内寸Ｂ、及び高さ内寸Ｃは、何れもほぼ一定であることが好ましいが、その使用形態、通常ダンボール製である材質、内箱の寸法変動幅等を考慮すると、その変動幅を５（ｍｍ）以下とすることには実益が乏しい場合が多く、むしろこの程度の変動幅を許容して製造コストを低減することが好ましい場合が多い。
【００１４】
本発明の配送用梱包箱を構成する外箱の縦外寸Ａ’、横外寸Ｂ’、及び高さ外寸Ｃ’は、通常、それぞれ縦内寸Ａ、横内寸Ｂ、及び高さ内寸Ｃよりも、外箱を構成する材料の厚みの２倍だけ大きいものである。
【００１５】
本発明の配送用梱包箱を構成する外箱の材質には特に制限は無く、内容物や輸送方法等との関係で必要となる特性や、コスト等を考慮して、適切な材料を適宜選択すればよい。
例えば、段ボール、板紙、プラスチック、金属、などを使用することができるが、強度、軽量性、コスト、量産性、既存の物流設備への適合性、などから、段ボールを用いることが望ましい。
ここで段ボールとは、波形に成形した中しん部分の片面又は両面にライナを貼ったものであり、この様ないわゆるトラス構造を有することで、安価な材料を用いながら、高い強度と軽量性とを両立することができるので、本発明の配送用梱包箱を構成する外箱の材質として特に好ましい。
【００１６】
段ボールの種類にも特に制限は無く、内容物や輸送方法等との関係で必要となる強度や、コスト等を考慮して、適宜好ましい段ボールを選択すればよい。例えば、片面段ボール、両面段ボール、複両面段ボール、複々両面段ボール等を好ましい段ボールの例として挙げることができるが、これらには限定されない。
段ボールを構成する波形に成形した中しん部分、いわゆるフルート、の高さ及び大きさにも特に制限は無く、段の高さが４．５〜４．８ｍｍ、３０ｃｍあたりの段の数が３４±２個であるいわゆるＡフルートから、段の高さ０．５０から０．５５ｍｍ、３０ｃｍあたりの段の数が１８０個以上であるいわゆるＧフルートまでの各種のフルートを有する段ボールを好ましく使用することができるが、これらには限定されない。
外箱としてある程度の強度を確保する観点からは、Ａフルート、Ｃフルート、又はＢフルートを使用することが特に好ましい。
【００１７】
内箱
本発明の配送用梱包箱を構成する内箱は、上記外箱の内部に複数、より具体的には縦方向にｎ個、横方向にｍ個、高さ方向にｌ個配されるものであり、各内箱の縦外寸ａ１、ａ２、．．．ａｎの総和がＡ±２０（ｍｍ）であり、各内箱の横外寸ｂ１、ｂ２、．．．ｂｍの総和がＢ±２０（ｍｍ）であり、各内箱の高さ外寸ｃ１、ｃ２、．．．ｃｌの総和がＣ±２０（ｍｍ）であり、かつ各内箱の縦外寸ａ１〜ａｎ、横外寸ｂ１〜ｂｍ、及び高さ外寸ｃ１〜ｃｌが、いずれも２０（ｍｍ）以上である。
ここで、ｎ、ｍ、及びｌは、いずれも独立に１から３０の整数である。但し、ｎ、ｍ、及びｌが同時に１とはならない。ｎ、ｍ、及びｌが同時に１である場合、内箱が１個となり、内箱を使用する実益に乏しいためである。
ｎは、１〜２０であることが好ましく、１〜１０であることがより好ましく、１〜５であることが特に好ましい。
ｍは、１〜２０であることが好ましく、１〜１０であることがより好ましく、１〜５であることが特に好ましい。
ｍは、１〜２０であることが好ましく、１〜１０であることがより好ましく、１〜５であることが特に好ましい。
【００１８】
図１（ａ）に示すように、ｎ＝３かつｍ＝４であるものが、本発明の好ましい実施形態の一つであり、上部からみたときに外箱内部を１２分割する配置となる。この様な配置の内箱は、レトルトカレーをはじめとするレトルト食品等の長期保管食品、青果物等の短賞味期間食品、飲料、サラダ油、洗剤等の液体商品等を収納して配送するのに好適である。
【００１９】
図２（ａ）に示すように、ｎ＝３かつｍ＝２であるものも、本発明の好ましい実施形態の一つであり、上部からみたときに外箱内部を６分割する配置となる。この様な配置の内箱は、レトルトカレーをはじめとするレトルト食品等の長期保管食品、青果物等の短賞味期間食品、飲料、サラダ油、洗剤等の液体商品等を収納して配送するのに好適である。
【００２０】
図５（ａ）に示すように、ｎ＝２かつｍ＝３であるものも、本発明の好ましい実施形態の一つであり、上部からみたときに外箱内部を６分割する配置となる。例えば外箱の内寸が、約４００（ｍｍ）×約６００（ｍｍ）×約４００（ｍｍ）のとき各内箱の縦外寸ａ及び横外寸ｂは、いずれも約２００ｍｍとなる。この様な寸法の内箱は、レトルトカレーをはじめとするレトルト食品等の長期保管食品、青果物等の短賞味期間食品、飲料、サラダ油、洗剤等の液体商品等を収納して配送するのに好適である。
【００２１】
図４（ａ）に示すように、ｎ＝２かつｍ＝２であるものも、本発明の好ましい実施形態の一つであり、上部からみたときに外箱内部を４分割する配置となる。例えば外箱の内寸が、約４００（ｍｍ）×約６００（ｍｍ）×約４００（ｍｍ）のとき各内箱の縦外寸ａ及び横外寸ｂは、それぞれ約２００ｍｍ及び約３００ｍｍとなる。この様な寸法の内箱は、レトルトカレーをはじめとするレトルト食品等の長期保管食品、青果物等の短賞味期間食品、飲料、サラダ油、洗剤等の液体商品等を収納して配送するのに好適である。
【００２２】
図７（ａ）に示すように、ｎ＝１かつｍ＝２であるものも、本発明の好ましい実施形態の一つであり、上部からみたときに外箱内部を２分割する配置となる。例えば外箱の内寸が、約４００（ｍｍ）×約６００（ｍｍ）×約４００（ｍｍ）のとき各内箱の縦外寸ａ及び横外寸ｂは、それぞれ約４００ｍｍ及び約３００ｍｍとなる。この様な寸法の内箱は、衣料、書籍等を収納して配送するのに好適である。
【００２３】
内箱の縦外寸ａ１、ａ２、．．．ａｎは、その総和がＡ±２０（ｍｍ）である。内箱の縦外寸ａ１からａｎの総和がこの範囲内なので、内箱を外箱内に効率よく配置することが可能であり、統一された外箱の外寸による高い空間効率、配送効率と、効率よく配置された内箱により梱包箱内の空間を無駄なく使用することによる高い空間効率、配送効率とを両立することが可能である。
内箱の縦外寸ａ１、ａ２、．．．ａｎは、その総和が、Ａ±１０（ｍｍ）であることが好ましく、Ａ±５（ｍｍ）であることがより好ましい。
また、外箱の縦内寸Ａが小さい場合には、縦内寸Ａとの比で数値範囲を規定することが適切な場合もあり、例えば内箱の縦外寸ａ１、ａ２、．．．ａｎは、その総和が、Ａ±Ａ／１０であることが好ましく、Ａ±Ａ／２０であることがより好ましく、Ａ±Ａ／４０であることが特に好ましい。
【００２４】
内箱の横外寸ｂ１、ｂ２、．．．ｂｍは、その総和がＢ±２０（ｍｍ）である。内箱の横外寸ｂ１からｂｍの総和がこの範囲内なので、内箱を外箱内に効率よく配置することが可能であり、統一された外箱の外寸による高い空間効率、配送効率と、効率よく配置された内箱により梱包箱内の空間を無駄なく使用することによる高い空間効率、配送効率とを両立することが可能である。
内箱の横外寸ｂ１、ｂ２、．．．ｂｍは、その総和がＢ±１０（ｍｍ）であることが好ましく、Ｂ±５（ｍｍ）であることがより好ましい。
また、外箱の横内寸Ｂが小さい場合には、横内寸Ｂとの比で数値範囲を規定することが適切な場合もあり、例えば内箱の横外寸ｂ１、ｂ２、．．．ｂｎは、その総和が、Ｂ±Ｂ／１０であることが好ましく、Ｂ±Ｂ／２０であることがより好ましく、Ｂ±Ｂ／４０であることが特に好ましい。
【００２５】
内箱の高さ外寸ｃ１、ｃ２、．．．ｃｌは、その総和がＣ±２０（ｍｍ）である。内箱の高さ外寸ｃ１からｃｌの総和がこの範囲内なので、内箱を外箱内に効率よく配置することが可能であり、統一された外箱の外寸による高い空間効率、配送効率と、効率よく配置された内箱により梱包箱内の空間を無駄なく使用することによる高い空間効率、配送効率とを両立することが可能である。
内箱の高さ外寸ｃ１、ｃ２、．．．ｃｌは、その総和がＣ±１０（ｍｍ）であることが好ましく、Ｃ±５（ｍｍ）であることがより好ましい。
また、外箱の高さ内寸Ｃが小さい場合には、高さ内寸Ｃとの比で数値範囲を規定することが適切な場合もあり、例えば内箱の高さ外寸ｃ１、ｃ２、．．．ｃｌの総和が、Ｃ±Ｃ／１０であることが好ましく、Ｃ±Ｃ／２０であることがより好ましく、Ｃ±Ｃ／４０であることが特に好ましい。
【００２６】
本発明の配送用梱包箱を構成する内箱においては、縦外寸ａ１、ａ２、．．．ａｎの総和、横外寸ｂ１、ｂ２、．．．ｂｍの総和、及び高さ外寸ｃ１、ｃ２、．．．ｃｌの総和が、同時に上記の好ましい範囲のいずれかにあることが一層好ましい。
【００２７】
各内箱の縦外寸ａ１〜ａｎ、横外寸ｂ１〜ｂｍ、及び高さ外寸ｃ１〜ｃｌは、いずれも２０（ｍｍ）以上である。各内箱の縦外寸ａ１〜ａｎ、横外寸ｂ１〜ｂｍ、及び高さ外寸ｃ１〜ｃｌが、いずれも２０（ｍｍ）以上であることで、内箱が実用上十分な容量を有するものとなる。
内箱は実質的に直方体の形状を有することが好ましい。これにより、内箱を外箱に配置する際の収納効率は、一層高いものとなる。
【００２８】
内箱の材質、構造にも特に限定は無く、内容物や輸送方法等との関係で必要となる特性や、コスト等を考慮して、適切な材料、構造を適宜選択すればよい。
例えば、段ボール、板紙、プラスチック、金属、プラスチックフィルム、プラスチックシートなどを使用することができるが、強度、軽量性、コスト、量産性、既存の物流設備への適合性、などから、プラスチック、プラスチックフィルムを用いることが望ましい。
【００２９】
外箱は輸送効率との関係から統一性、均一性が重視されるため、内箱は内容物の特性に応じた材料、構造を採用するなどして、外箱と内箱とで役割分担することも好ましい、
例えば、内容物がレトルトカレーをはじめとするレトルト食品等の長期保管食品である場合、内容物を長期間保管するために好適なガスバリア性を有する内箱で実現することも、本発明の好ましい実施形態である。例えば、外箱として所定寸法、形状の段ボール箱を用い、内箱として、ガスバリア層を設けたプラスチックフィルムからなる、所定寸法、形状のガセット袋を用いることが好ましい。
ガセット袋等の内箱の耐屈曲性を向上するため、プラスチックや紙からなる支柱を設けてもよい。
【００３０】
また例えば、内容物が青果物等の短賞味期間食品である場合、内容物の外観保持、異臭防止のために好適な抗菌性、防曇性、雰囲気制御性を、内箱で実現することも、本発明の好ましい実施形態である。例えば、外箱として所定寸法、形状の段ボール箱を用い、内箱として、表面に抗菌剤または防曇剤を有するプラスチックフィルムや開口部を設ける等により一定の酸素透過度を有するプラスチックフィルム、または表面に抗菌剤または防曇剤を有し、加えて開口部を設ける等により一定の酸素透過度を有するプラスチックフィルムからなる、所定寸法、形状のガセット袋を用いることが好ましい。前記一定の酸素透過度とは具体的には、通常１０００ｍｌ／ｍ２・ｄａｙ・ＭＰａ以上５００００ｍｌ／ｍ２・ｄａｙ・ＭＰａ以下であり、好ましくは２０００ｍｌ／ｍ２ｄａｙ・ＭＰａ以上３００００ｍｌ／ｍ２・ｄａｙ・ＭＰａ以下、より好ましくは３０００ｍｌ／ｍ２・ｄａｙ・ＭＰａ以上、１５０００ｍｌ／ｍ２・ｄａｙ・ＭＰａ以下である。
ガセット袋等の内箱の耐屈曲性を向上するため、プラスチックや紙からなる支柱を設けてもよい。
【００３１】
更に例えば、内容物が飲料、サラダ油、洗剤等の液体商品である場合、内容物の漏れ等を防止するために好適な耐水性、耐衝撃性を内箱で実現することも、本発明の好ましい実施形態である。例えば、外箱として所定寸法、形状の段ボール箱を用い、内箱として、所定寸法、形状のポリプロピレン製、又はポリエチレン製、ポリエチレンテレフタレートやポリブチレンテレフタレート等のポリエステル製のブローボトルやプラスチックフィルムまたはシートからなるガセット袋を用いることが好ましい。
また例えば、内容物が衣料、書籍等である場合には、内容物との関係で内箱に求められる特性は段ボールでも実現可能であるため、外箱、内箱ともに、それぞれ所定寸法形状の段ボール箱または包装フィルムを用いることが望ましい。
【００３２】
次に、図面を参照しながら、本発明のより具体的な実施形態について説明する。なお、本発明はいかなる意味においても、これらの実施形態に限定されるものではない。
（実施形態１：長期保管食品の配送用梱包箱）
図１（ａ）及び（ｂ）に一例として示すように、例えば外箱としてＡフルートからなり、縦内寸Ａ、横内寸Ｂ、及び高さ内寸Ｃが、それぞれＡ＝３６０（ｍｍ）、Ｂ＝４６０（ｍｍ）、及びＣ＝２６０（ｍｍ）の段ボール箱を使用し、内箱として、縦外寸ａ、横外寸ｂ、及び高さ外寸ｃが、それぞれａ＝１１８（ｍｍ）、ｂ＝１１３（ｍｍ）、及びｃ＝２５０（ｍｍ）のガセット袋１２個を使用する。
別法として、図２（ａ）及び（ｂ）に一例として示すように、例えば内箱として、縦外寸ａ、横外寸ｂ、及び高さ外寸ｃが、それぞれａ＝１１８（ｍｍ）、ｂ＝２２５（ｍｍ）、及びｃ＝２５０（ｍｍ）のガセット袋６個を使用してもよい。
また他の別法として、図３（ａ）及び（ｂ）に一例として示すように、例えば内箱として、縦外寸ａ、横外寸ｂ、及び高さ外寸ｃが、それぞれａ＝１７５（ｍｍ）、ｂ＝１１３（ｍｍ）、及びｃ＝２５０（ｍｍ）のガセット袋８個を使用してもよい。
更に他の別法として、図４（ａ）及び（ｂ）に一例として示すように、内箱として、縦内寸ａ、横外寸ｂ、及び高さ外寸ｃが、それぞれａ＝１７５（ｍｍ）、ｂ＝２２５（ｍｍ）、及びｃ＝２５０（ｍｍ）のガセット袋４個を使用してもよい。
更に他の別法として、図５（ａ）及び（ｂ）に一例として示すように、内箱として、縦内寸ａ、横外寸ｂ、及び高さ外寸ｃが、それぞれａ＝１７５（ｍｍ）、ｂ＝１５０（ｍｍ）、及びｃ＝１２５（ｍｍ）のガセット袋１２個を使用してもよい。
更に他の別法として、図５（ａ）及び（ｃ）に一例として示すように、内箱として、縦内寸ａ、横外寸ｂ、及び高さ外寸ｃが、それぞれａ＝１７５（ｍｍ）、ｂ＝１５０（ｍｍ）、及びｃ＝２５０（ｍｍ）のガセット袋６個を使用してもよい。
更に他の別法として、図６（ａ）及び（ｂ）に一例として示すように、内箱として、縦内寸ａ、横外寸ｂ、及び高さ外寸ｃが、それぞれａ＝１７５（ｍｍ）、ｂ＝２２５（ｍｍ）、及びｃ＝１２５（ｍｍ）のガセット袋８個を使用してもよい。
更に他の別法として、図６（ａ）及び（ｃ）に一例として示すように、内箱として、縦内寸ａ、横外寸ｂ、及び高さ外寸ｃが、それぞれａ＝１７５（ｍｍ）、ｂ＝２２５（ｍｍ）、及びｃ＝２５０（ｍｍ）のガセット袋４個を使用してもよい。
【００３３】
内箱であるガセット袋としては、厚さ２０μｍのナイロン、又はＰＥＴ（ポリエチレンテレフタレート）フィルムと、厚さ５０〜１００μｍのポリエチレンフィルムとの積層フィルム上にガスバリア層を設けたものを使用する。
ガスバリア層としては、無機ガスバリア層、有機ガスバリア層のいずれか、又は両方を使用することができる。高いガスバリア性を実現する観点からは、無機ガスバリア層を使用することが好ましく、積層フィルムが屈曲等変形した場合にもガスバリア性を維持する観点からは、有機ガスバリア層を使用することが好ましい。
無機ガスバリア層としては、シリカ、アルミナ等の無機酸化物からなる層を設けることが好ましく、例えばスパッタリング、蒸着等によってこれらの層を設けることができる。
有機ガスバリア層としては、ビニルアルコール単位を有する重合体、塩化ビニリデン単位を有する重合体等からなる層を設けることが好ましく、塗布等によってこれらの層を設けることができる。
内箱であるガセット袋内には、液状の長期保管製品、例えばレトルトカレーをはじめとするレトルト食品を収納する。
このとき、ガセット袋だけでは座屈する可能性がある場合には、耐屈曲性を向上するため、骨組みとしてプラスチック又は紙製の支柱を設けてもよい。
【００３４】
（実施形態２：短賞味期間食品の配送用梱包箱）
本実施形態の配送用梱包箱を構成する外箱及び内箱の形状及び寸法は、実施形態１のものと同様である。
内箱であるガゼット袋としては、厚さ２０μｍのナイロン、又はＰＥＴ（ポリエチレンテレフタレート）フィルムと、厚さ５０〜１００μｍのポリエチレンフィルムとの積層フィルム上に抗菌剤及び／又は防曇剤を塗布したもの、または当該積層フィルム中に抗菌剤及び／又は防曇剤を練り込んだものを使用する。
例えば、上記積層フィルムの表面に特定の界面活性剤が特定量存在し、又は上記積層フィルムが特定の界面活性剤を特定量含むことで、抗菌機能を有していてもよい。例えば、パルミチルジエタノールアミン、ステアリルジエタノールアミン、グリセリンモノラウレートおよびジグリセリンモノラウレートからなる群から選択される少なくとも一種の化合物が、上記高分子フィルムの少なくとも一方の表面に存在することが好ましく、当該少なくとも１種の化合物が０．００２〜０．５ｇ／ｍ２存在することが特に好ましい。あるいは、上記高分子フィルムが、パルミチルジエタノールアミン、ステアリルジエタノールアミン、グリセリンモノラウレートおよびグリセリンモノカプレートからなる群から選択される少なくとも一種の化合物を含有していることが好ましく、０．００１〜３質量部含有していることが特に好ましい。
上記積層フィルムの表面に特定の界面活性剤が特定量存在し、又は上記積層フィルムが特定の界面活性剤を特定量含むことで、該積層フィルムの表面での結露が抑制され、雑菌の繁殖が抑制されることにより、結露（ドリップ）中での雑菌の増殖が抑制され、抗菌機能が発揮される。
【００３５】
更に、例えば内容物である短賞味期間食品が青果物等である場合には、その呼吸を制御することにより外観を保持し、異臭を防ぐために、内箱であるガゼット袋は、所定の酸素透過度、例えば２０℃、９０％ＲＨにおいて、１０００ｃｃ／ｍ２／ａｔｍ／ｄａｙ以上５００００ｃｃ／ｍ２／ａｔｍ／ｄａｙ以下の酸素透過度を有することが望ましい。
酸素透過度が上記範囲にあるガセット袋を用いることで、内部ガス、とりわけ二酸化炭素の流出、外気の流入、青果物の呼吸等による内部ガス組成の変動が抑制、又は緩和され、青果物の鮮度保持に適した環境の維持が容易となる。包装容器の酸素透過度は、３０００ｃｃ／ｍ２／ａｔｍ／ｄａｙ以上３００００ｃｃ／ｍ２／ａｔｍ／ｄａｙ以下であることがより好ましく、５０００ｃｃ／ｍ２／ａｔｍ／ｄａｙ以上２００００ｃｃ／ｍ２／ａｔｍ／ｄａｙ以下であることが特に好ましい。
上記の酸素透過度を実現するため、ガセット袋には、微細な孔や、スリットなどを設けてもよい。
【００３６】
短賞味期間食品としては青果物を収納することができ、例えば非加熱又は加熱の青果物を適宜収納することができる。その様な青果物の具体例としては、バナナ、マンゴー、ウメ、リンゴ、イチゴ、ミカン、ブドウ、和梨、西洋梨のような果実類、ダイコン、ニンジン、ナガイモ、ゴボウのような根菜類、トマト、キュウリ、ナス、ピーマン、エダマメ、オクラのような果菜類、緑豆モヤシ、大豆モヤシ、トウミョウのような芽物類、シイタケ、シメジ、エリンギ、マイタケ、マツタケのような菌茸類（キノコ類）、キャベツ、ブロッコリー、ホウレンソウ、コマツナ、チンゲンサイ、レタス、アスパラガスのような葉茎菜類、花卉または苗を挙げることができる。
【００３７】
（実施形態３：液体商品の配送用梱包箱）
本実施形態の配送用梱包箱を構成する外箱及び内箱の寸法は、実施形態１のものと同様である。
但し、内箱としては液体商品を収納するため、ポリプロピレン又はポリエチレン製のブローボトルを用いる。
図６（ｂ）に示すように、内箱を高さ方向に積み重ねる形態においては、内箱であるブローボトルは、四角い形状で、重ね置きができるものであることが好ましい。
液体商品としては、飲料、サラダ油、洗剤等を好ましく収納、配送することができる。
【００３８】
（実施形態４：衣料、書籍等の配送用梱包箱）
図７（ａ）及び（ｂ）に示すように、外箱として縦内寸Ａ、横内寸Ｂ、及び高さ内寸Ｃが、それぞれＡ＝４００（ｍｍ）、Ｂ＝６００（ｍｍ）、及びＣ＝４００（ｍｍ）の段ボール箱を使用し、内箱として、縦外寸ａ、横外寸ｂ、及び高さ外寸ｃが、それぞれａ＝３９５（ｍｍ）、ｂ＝２９５（ｍｍ）、及びｃ＝１９５（ｍｍ）の紙箱４個を使用する。
衣料、書籍等の商品は、保存や品質保持のために特殊な容器を必要としないため、コスト等の観点から、内箱にも段ボール箱等の紙箱を使用することが好ましい。
【産業上の利用可能性】
【００３９】
本発明の配送用梱包箱は、人間工学的にも優れ、統一された外寸による高い空間効率、配送効率と、梱包箱内の空間を無駄なく使用することによる高い空間効率、配送効率とを両立することができるなど、実用上高い価値を有するものであり、流通、小売、宅配、通信販売、電子商取引、特にいわゆるネット販売、などの産業の各分野において高い利用可能性を有する。
【符号の説明】
【００４０】
Ａ：外箱の縦内寸
Ｂ：外箱の横内寸
Ｃ：外箱の高さ内寸
ａ：内箱の縦外寸
ｂ：内箱の横外寸
ｃ：内箱の高さ外寸
【図１】
2019104496.tif 000003
【図２】
2019104496.tif 000004
【図３】
2019104496.tif 000005
【図４】
2019104496.tif 000006
【図５】
2019104496.tif 000007
【図６】
2019104496.tif 000008
【図７】
2019104496.tif 000009